【事件の表示】
　特願２０１６−１１６９４８「画像表示装置」拒絶査定不服審判事件〔平成２９年１２月２１日出願公開、特開２０１７−２２４３９８〕について、次のとおり審決する。
【結　論】
　本件審判の請求は、成り立たない。
【理　由】
第１　手続等の経緯
　特願２０１６−１１６９４８号（以下「本件出願」という。）は、平成２８年６月１３日を出願日とする特許出願であって、その手続等の経緯の概要は、以下のとおりである。
令和２年　５月２０日付け：拒絶理由通知書
令和２年　７月１３日　　：意見書
令和２年　７月１３日　　：手続補正書
令和２年１０月１９日付け：拒絶査定（以下「原査定」という。）
令和３年　１月２６日　　：審判請求書
令和３年　１月２６日　　：手続補正書
第２　補正の却下の決定
［補正の却下の決定の結論］
　令和３年１月２６日にした手続補正（以下「本件補正」という。）を却下する。
［理由］
１　本件補正の内容
（１）本件補正前の特許請求の範囲
　本件補正前の（令和２年７月１３日にした手続補正後の）特許請求の範囲の請求項１の記載は、次のとおりである。
「　反射電極と、
　有機ＥＬ発光層と、
　赤色波長帯域と緑色波長帯域と青色波長帯域とに対応する少なくとも３種類のカラーフィルターがマトリックス状に配置されているカラーフィルター層と、
　それぞれの画素を駆動する薄膜トランジスタを備える駆動回路と、
　１／４波長位相差層と、
　直線偏光板と、をこの順に備える画像表示装置であって、
　前記赤色波長帯域と緑色波長帯域と青色波長帯域とに相当する波長をそれぞれ選択反射する、コレステリック液晶を含む３種類の反射層が、前記駆動回路と前記有機ＥＬ発光層との間に配置され、
　前記コレステリック液晶を含む３種類の反射層が、マトリックス状に配置された前記３種類のカラーフィルターに対応する波長帯域を選択的に反射するように、該カラーフィルターの対応する箇所にそれぞれ１つずつ配置されている
　画像表示装置。」
（２）本件補正後の特許請求の範囲
　本件補正後の特許請求の範囲の請求項１の記載は、次のとおりである。なお、下線は補正箇所を示す。
「　反射電極と、
　有機ＥＬ発光層と、
　赤色波長帯域と緑色波長帯域と青色波長帯域とに対応する少なくとも３種類のカラーフィルターがマトリックス状に配置されているカラーフィルター層と、
　それぞれの画素を駆動する薄膜トランジスタを備える駆動回路と、
　１／４波長位相差層と、
　直線偏光板と、をこの順に備える画像表示装置であって、
　前記赤色波長帯域と緑色波長帯域と青色波長帯域とに相当する波長をそれぞれ選択反射する、コレステリック液晶を含む３種類の反射層が、前記駆動回路と前記有機ＥＬ発光層との間に配置され、
　
前記コレステリック液晶は、逆分散波長特性を示す液晶材料、又はシクロヘキサン構造を有する液晶材料であり、
　前記コレステリック液晶を含む３種類の反射層が、マトリックス状に配置された前記３種類のカラーフィルターに対応する波長帯域を選択的に反射するように、該カラーフィルターの対応する箇所にそれぞれ１つずつ配置されている
　画像表示装置。」
（３）本件補正の内容
　本件補正は、本件補正前の請求項１に記載された発明の、発明を特定するために必要な事項である「コレステリック液晶」について「前記コレステリック液晶は、逆分散波長特性を示す液晶材料、又はシクロヘキサン構造を有する液晶材料であり」という限定をするものである。また、この補正は、本件出願の願書に最初に添付した明細書の【００５２】の記載に基づくものである。そして、本件補正前の請求項１に記載された発明と本件補正後の請求項１に記載される発明の産業上の利用分野（【０００１】）及び解決しようとする課題（【０００７】）は、同一である。
　したがって、本件補正は、特許法１７条の２第３項の規定に適合するものであり、また、同条５項２号に掲げる事項（特許請求の範囲の減縮）を目的とするものである。
　そこで、本件補正後の請求項１に係る発明（以下「本件補正後発明」という。）が、同条６項において準用する同法１２６条７項の規定に適合するか（特許出願の際独立して特許を受けることができるものであるか）について、以下、検討する。
２　独立特許要件についての判断
（１）引用文献１の記載
　原査定の拒絶の理由において引用された引用文献１（特開２０１４−３８７１３号公報）は、本件出願の出願前に日本国内又は外国において頒布された刊行物であるところ、そこには、以下の記載がある（当合議体注：下線は当合議体が付したものであり、引用発明の認定や判断等に活用した箇所を示す。以下、同様。）。
ア　「【技術分野】
【０００１】
　本発明は、
ボトムエミッション方式の有機ＥＬ
表示素子を用いた表示装置
イ　「【背景技術】
【０００２】
　近年、有機ＥＬ表示素子を用いた表示装置が開発されている。かかる有機ＥＬ表示素子は、画素毎に発光する発光層が備えられ、当該発光層に供給する電流量自体を調整することによって発光光量を調整することができるので、エネルギー効率に優れているという特徴を有している。
　このような有機ＥＬ表示素子を用いた表示装置において、コントラストを向上させ色再現性を向上させるには、外光に起因する反射光（ゴースト光）が、表示面（有機ＥＬ表示素子における最も外側の面を言う。以下同様とする。）を通じて観察者側へ射出されることを防止する必要がある。
　そのため、従来、外光が有機ＥＬ表示素子の表示面にて反射したり当該表示面を通じて内部に侵入することを防止するとともに、有機ＥＬ表示素子の内部に侵入した外光が電極等によって反射された後に、表示面を通じて再度外部に射出されることを防止するための工夫が、なされてきた（例えば、特許文献１乃至３）。
【０００３】
・・省略・・
　そこで、コントラスト向上に寄与する程度を高めると同時に、表示を明るくするために、円偏光板を有機ＥＬ表示素子の表示面に設ける技術が、次に提案された。
・・省略・・その結果、反射光は、偏光層（偏光板）を透過することができず、当該偏光層（偏光板）によって吸収されるので、表示面から外部に射出されることが防止されるのである。
　もっとも、有機ＥＬ表示素子の発光層によって励起された光（白色光，又は、発光層に混入された色素に応じた原色光）も様々な偏光成分から構成されているので、円偏光板を透過する際に、その約半分のエネルギーを吸収されてしまい、表示を明るくすることができない。
　そこで、円偏光板とともに、波長選択反射機能を有する液晶（コレステリック液晶）層とを併用する技術が、開発された（特許文献２，特許文献３）。
　この技術によると、有機ＥＬ表示素子の発光層によって励起された光（白色光，又は、発光層に混入された色素に応じた原色光）は、その波長及び円偏光成分の旋回方向に応じて分離され、液晶層を構成する液晶分子の螺旋のピッチに対応した波長を有するとともに螺旋方向と同方向に旋回する成分は反射されるが、それ以外の成分は透過する。このようにして液晶層によって反射された光は、発光層における液晶層が設けられている側とは反対側の面に形成された反射層（反射電極）によって反射され、その際に、上述したように旋回方向が逆転するので、再度液晶層に入射しても反射されることなくそのまま透過する。なお、発光層によって励起された後に先ず反射層にて反射された光も、上述したような過程を経て、最終的に、液晶層を透過する。その結果、液晶層を構成する液晶分子の螺旋のピッチに対応した波長の光については、その全成分が、一定の方向に旋回する円偏光に変換される。なお、発光層が白色光を励起する場合には、液晶層を構成する液晶分子の螺旋のピッチに対応した波長の光以外の成分が、カラーフィルタによって除去される。
　そして、液晶層によって揃えられる円偏光の旋回方向は、上記外光の反射光の旋回方向とは逆方向に設定されているので、１／４波長板を透過することによって直線偏光に変換された場合における振動方向は、偏光層（偏光板）における透過光の振動方向に合致し、その全成分が、偏光層（偏光板）を透過して射出される。よって、この技術によると、表示の明るさを向上することができる。
【先行技術文献】
【特許文献】
【０００４】
【特許文献１】特開平７−１４２１７０号公報
【特許文献２】特開２００１−３５７９７９号公報
【特許文献３】特開２０１２−７４２２１号公報
【発明の概要】
【発明が解決しようとする課題】
【０００５】
ところで、特許文献３記載の構造では、反射電極層と対になって発光層に電流を供給する透明電極が透明基板と発光層との間に設けられている（従って、当該透明電極に電流を供給する
ＴＦＴ［Thin Film Transistor：薄膜トランジスタ］
・・省略・・
【０００６】
　このように液晶層（選択反射層）と発光層との間にＴＦＴ層及び配線が存在すると、外光は、一旦液晶層（選択反射層）を透過してからＴＦＴ層又は配線を構成する反射金属層によって反射されて、再度液晶層（選択反射層）に入射することになる。その結果、ＴＦＴ層又は配線を構成する反射金属層によって反射されることによりその円偏光の旋回方向が逆転された状態で再度液晶層（選択反射層）に入射した外光の一部が、その旋回方向を維持したまま当該液晶層（選択反射層）内部で反射されてしまうので、再度ＴＦＴ層又は配線を構成する反射金属層によって再反射された時点で、円偏光の旋回方向が再逆転されてしまう。その結果、再反射された外光起因の反射光は、今度は、液晶層（選択反射層）を透過するばかりか、円偏光板をも透過して、外部に射出されてしまうのである。
【０００７】
　以上のように、液晶層（選択反射層）と発光層との間にＴＦＴ層及び配線が存在すると、かかるＴＦＴ層及び配線を構成する反射金属層での反射に起因して外光の一部が外部に射出されてしまうので、コントラストを向上させる効果は却って低下してしまう。
・・省略・・
【０００９】
　そこで、本発明は、表示を明るくする効果を維持しつつ、外光の反射光の外部への射出を極力抑えてコントラストを向上させた表示装置の提供を、課題とする。」
ウ　「【課題を解決するための手段】
【００１０】
　本発明の一態様は、有機ＥＬ表示素子を用いた表示装置であって、透明な導電材料からなる透明電極と可視光領域の光を反射する金属材料からなる反射電極によって挟まれた構造を有するとともに、これら透明電極と反射電極によって電流が供給されることによって光を発する有機発光層と、前記透明電極を挟んで前記有機発光層に近接して設けられ、入射した光のうち、所定の波長を有するとともに所定の方向に旋回する円偏光成分のみを反射し、他の成分を透過する選択反射層と、前記選択反射層における前記有機反射層とは反対側に設けられ、光を反射する複数の電極を有するとともに前記透明電極に電流を供給する電気素子を内包する透明部材からなる配線層と、前記配線層における前記選択反射層とは反対側に設けられた透明基板と、前記透明基板における前記配線層とは反対側に設けられ、前記選択反射層を透過した前記所定方向に旋回する円偏光成分のみを透過する偏光特性を有する円偏光板とを、備えたことを特徴とする。
【発明の効果】
【００１１】
　
本発明によれば、発光層から発した光のうち選択反射層が反射することのできる波長の光は、当該選択反射層に入射することで、その全成分が、円偏光板が透過する円偏光と同じ方向に旋回する円偏光に変換されるので、当該円偏光板によって遮断されずに外部へ射出され、表示を明るく維持することができる。それにも拘わらず、透明電極に電流を供給するための反射金属層にて反射された外光は選択反射層を透過しないので、その全成分が円偏光板によって遮断され、外部へ射出されることが防止される。よって、外光下でのコントラストが向上する。
エ　「【発明を実施するための形態】
【００１３】
　以下、本発明の一実施形態に係る表示装置，即ち、有機ＥＬ表示素子を利用した表示装置について、図面を参照しながら詳細に説明する。なお、以下に示す実施形態は本発明の実施形態の一例であって、本発明はこれらの実施形態に限定されるものではない。
【００１４】
（第１実施形態）
　本発明の第１実施形態に係る電子機器について、図面を参照しながら詳細に説明する。
【００１５】
（全体構成）
　
図１は、本発明の第１実施形態に係る表示装置を構成する有機ＥＬ表示素子における何れか一つの画素をなす何れか一つの原色（赤，緑，青）を発光する部分の縦断面図である。
【００１６】
　
図１に示すように、透明基板としてのガラス基板１の一方の面（図１における下向きの面，以下、「射出側面」という）には、順番に、１／４波長板２及び偏光板３が、層をなすように形成されている。これら１／４波長板２及び偏光板３を併せて、「円偏光板１１」と言う。
【００１７】
　
これに対して、ガラス基板１の他方の面（図１における上向きの面，以下、「発行側面」という）には、順番に、ＴＦＴ層４，配向層５，選択反射層６，透明電極７，発光層封止層８及び反射電極１０が、層をなすように形成されている。
【００１８】
　
反射電極１０は、有機ＥＬ表示素子全体を覆うように形成された共通電極であり、入射した可視光領域全般に亙る光を全反射するに足りる屈折率及び膜厚を有する金属膜である。
【００１９】
　発光層封止層８は、不透明な絶縁材料からなり、各画素における各原色の発光位置に、貫通孔８ａが形成されている層である。各貫通孔８ａ内には、対応する原色の光を発光するための発光層９が形成されている。ここで、詳細な図示及び説明は省略するが、各発光層９は、透明基板１側から順に、電子注入層，電子輸送層，有機発光層，ホール輸送層，ホール注入層が順番に積層されることにより構成されている。ただし、本実施形態においては、各発光層９は、夫々、特定の原色の光を発光するように、その有機発光層の材料（蛍光色素）が選択されている。
【００２０】
　透明電極７は、各発光層９ごとに、発光層９の全体に接する面積を有するものとして、選択反射層６と発光層封止層８との間に形成されている。透明電極７の材料としては、例えば、ＩＴＯ（酸化インジウム錫）を用いることができる。
【００２１】
　
選択反射層６は、各画素を構成する各発光層９ごとに区分されており、各発光層９によって発光される原色光の波長を反射するように構成されている。
　
即ち、各選択反射層６は、波長選択反射機能を有するコレステリック液晶（コレステロールの水酸基をハロゲンで置換したハロゲン化合物や脂肪酸，炭酸とのエステル化合物等のコレステリック環を有する液晶）を封入した構造を有している。
　　　　　　　　　　　　λ＝ｐ・ｎ ……（１）
（但し、ｐは液晶分子の螺旋ピッチ[nm]，ｎは液晶の平均屈折率である。）
そして、この液晶分子の螺旋ピッチは、液晶材料に添加するカイラル剤の濃度を調整することや、カイラル剤として光反応性カイラル剤を用いた場合に照射すべき光の熱量を調整することによって、調整することができる。このようにして液晶分子の螺旋ピッチを調整することにより、
各選択反射層６は、対応する発光層９が発する原色光の波長（λ[nm]）を中心とした特定の波長の幅の光のみを反射するように、構成されているのである。
【００２２】
　また、選択反射層６が透過させる上記波長（λ[nm]）の円偏光の旋回方向は、上述した円偏光板１１が透過させる円偏光の旋回方向と一致している。
【００２３】
　配向層５は、液晶分子の配列を揃える機能を有する膜であり、ポリイミドから構成されている。
【００２４】
　なお、当該配向層５及び上述の選択反射層６には、各透明電極７を後述するＴＦＴ層に包含されたＴＦＴのドレイン電極に導通させるためのコンタクト７ａが、貫通している。
【００２５】
　
配線層としてのＴＦＴ層４は、透明基板１側から順番に積層された、保護層４１，第１絶縁層４２，第２絶縁層４３，第３絶縁層４４，及び平坦化層４９と、第１絶縁層４２と第２絶縁層４３との間において発光層９と重ならない位置に形成された半導体層４５と、第２絶縁層４３と第３絶縁層４４との間において第２絶縁層４３を挟んで半導体層４２の中央に対向するように金属によって形成されたゲート電極４６と、第２絶縁層４３と第３絶縁層４４を貫通して半導体層４２の一端に導通するように金属によって形成されたソース電極４７と、第２絶縁層４３と第３絶縁層４４を貫通して半導体層４２の他端に導通するように金属によって形成されるとともに上記コンタクト７ａに導通したドレイン電極４８とから、構成されている。
これらのうち、半導体層４５，ゲート電極４６，ソース電極４７及びドレイン電極４８のみを指して、電気素子としての「ＴＦＴ」と呼ぶ。
（作用）
【００２６】
　上述した構造を有する本実施形態による表示装置の作用を、図１及びこれを簡略化した動作説明図である（但し、天地が図１と逆転している）図２を参照して、以下に説明する。
＜内部発光＞
【００２７】
　
まず、何れかの発光層９に対応したＴＦＴのゲート電極４６に電圧を印加すると、ＴＦＴがＯＮとなり、ソース電極４７，半導体層４５，ドレイン電極４８及び透明電極７を通じて、発光層９を構成するホール注入層にホールが注入されるとともに、反射電極１０を通じて、発光層９を構成する電子注入層に電子が注入され、これにより、公知の発光原理に従って発光層９を構成する有機発光層が、その材料（蛍光色素）に応じた波長（λ[nm]）の原色光を励起し、あらゆる方向に発光する。
【００２８】
　即ち、発光層９から発して直接選択反射層６に入射するか一旦反射電極１０によって反射されてから選択反射層６に入射した光のうち、円偏光板１１によって透過する方向に旋回する円偏光成分は、そのまま選択反射層６を透過するが、反対方向に旋回する円偏光成分は、選択反射層６内で反射される。ここで、円偏光板１１によって透過する円偏光の旋回方向が図２に示すように左螺子方向（液晶分子の螺旋構造が右螺子方向である場合）であるとすると、左螺子方向に旋回する円偏光成分が選択反射層６を透過し、右螺子方向に旋回する円偏光成分が選択反射層６内で反射される。
【００２９】
　選択反射層６内で反射された円偏光成分は、発光層９内に再入射された後に反射電極１０によって反射され、これによってその旋回方向を逆転された状態（図２の例においては左螺子方向に逆転された状態）で、選択反射層６に再入射され、今度は、選択反射層６を透過する。
【００３０】
　以上の結果、発光層９から発した光の全成分が、円偏光板１１によって透過する円偏光と同じ旋回方向の円偏光に変換された状態で選択反射層６を透過し、更に、ＴＦＴ層４，透明基板１及び円偏光板１１を透過して、外部へ射出される。よって、表示装置による表示の明るさが維持される。
＜外光＞
【００３１】
　一方、外光が本実施形態による有機ＥＬ表示素子に入射しようとする場合、円偏光板１１を構成する偏光板３を透過する際にその約半分の成分が当該偏光板３によって吸収され、
残りの成分が１／４波長板２を透過することによって円偏光（図２の例においては、左螺子方向に旋回する円偏光）に変換される。
【００３２】
　この外光が透明基板１を通じてＴＦＴ層４に含まれる各電極４６，４７，４８や図示せぬ配線の表面に入射すると、当該表面によって反射されるが、その反射の際に、その旋回方向が逆転される（図２の例においては、右螺子方向に逆転される）。従って、この反射光が再度を透明基板１を通り、円偏光板１１に入射しても、その旋回方向は当該円偏光板１１が透過する円偏光の旋回方向（図２の例では左螺子方向）とは逆である，即ち、１／４波長板２を透過することによって変換される直線偏光の振動方向が、
偏光板３が透過する直線偏光の振動方向に対して直交するので、当該反射光の全成分が当該偏光板３によって吸収されて
【００３３】
　また、円偏光板１１及び透明基板１を透過した外光のうち、ＴＦＴ層４における透明部分を透過した光束は、選択反射層６に入射することになるが、当該選択反射層６によって反射されない波長（λ[nm]）の光は勿論、反射される波長（λ[nm]）の光についても、選択反射層６を透過する方向（図２の例では左螺子方向）に旋回する円偏光に変換されているので、選択反射層６を透過し、発光層９内に入射してから反射電極１０によって反射される。このとき、当該外光の全波長成分は、その円偏光の旋回方向を逆転され（図２の例では右螺子方向に逆転され）、選択反射層６に再入射する。
【００３４】
　選択反射層６に入射した反射光のうち、当該選択反射層６によって反射されない波長（λ[nm]）の光は、当該選択反射層６を透過し、更に、ＴＦＴ層４，透明基板１を透過して円偏光板１１に入射するが、その旋回方向は当該円偏光板１１が透過する円偏光の旋回方向（図２の例では左螺子方向）とは逆である，即ち、１／４波長板２を透過することによって変換される直線偏光の振動方向が、偏光板３が透過する直線偏光の振動方向に対して直交するので、当該偏光板３によって吸収されて、外部に射出されることがない。
【００３５】
　これに対して、選択反射層６に入射した反射光のうち、当該選択反射層６によって反射される波長（λ[nm]）の光は、その円偏光の旋回方向が液晶分子の螺旋構造のねじれ方向（図２の例では右螺子方向）と一致するので、当該選択反射層６内において反射されて、発光層９内に再度入射し、反射電極１０によって再反射される。このとき、当該光の円偏光の旋回方向は再逆転され（図２の例では左螺子方向に再逆転され）、選択反射層６に再入射する。この場合、当該光の円偏光の旋回方向は、液晶分子の螺旋構造のねじれ方向とは逆向き（図２の例では左螺子方向）であるので、当該選択反射層６を透過し、更に、ＴＦＴ層４，透明基板１を透過して円偏光板１１に入射する。この場合、当該光の円偏光の旋回方向は当該円偏光板１１が透過する円偏光の旋回方向（図２の例では左螺子方向）と同じである，即ち、１／４波長板２を透過することによって変換される直線偏光の振動方向が、偏光板３が透過する直線偏光の振動方向と平行になるので、当該円偏光板１１を透過して、外部に射出されてしまう。
【００３６】
　もっとも、本実施形態のようなボトムエミッション方式の場合、ＴＦＴ層４における透明部分（即ち、各ＴＦＴの電極や配線が設けられていない部分）が全体に占める面積比率は低く、また、発光層封入層８全体に占める発光層８の面積比率は更に低いので、最終的に円偏光板１１を透過して外部に射出される外光起因の反射光の光量は僅かに止まる。その為、当該反射光がコントラストに及ぼす悪影響の程度は最小限に留まる。
【００３７】
　以上に説明したように、本実施形態においては、反射電極と対になって各発光層に電流を供給する透明電極を駆動するＴＦＴや配線は、透明基板１の片側において、当該透明基板１と選択反射層６との間に設けられているので、有機ＥＬ表示素子内に侵入してこれらＴＦＴの電極や配線の表面にて反射された外光起因の反射光は、選択反射層６を透過することがない。従って、当該反射光に関しては、当該当該選択反射層６によって反射されることによって反射電極によって複数回反射されることによって入射時における円偏光の旋回方向に戻ってしまうという問題が生じず、反射回数は１回に留まるので、入射時における円偏光の旋回方向が逆転されるので、円偏光板によって確実に遮断される。よって、本実施形態によると、表示の明るさを維持しつつ、コントラストの低下を極力抑えることができる。」
オ　「（第５実施形態）
【００６１】
　図２２は、
本発明の第５実施形態に係る表示装置を構成する有機ＥＬ表示素子における何れか一つの画素をなす何れか一つの原色（赤，緑，青）を発光する部分
【００６２】
　
図２２に示すように、本第５実施形態は、上述した第１実施形態と比較して、発光層封止層８及び各発光層９の代わりに、白色光を発光するように材料（発光色素）が調整された一続きの白色発光層１２が形成されているとともに、各透明電極７に対応して（従って、白色発光層１２における、各透明電極７によって供給される電流によって発光する部分に対応して）、何れかの原色の波長成分のみを透過させるカラーフィルタ１３が、選択反射層６と透明電極７との間に形成されている点のみを相違し、それ以外の構成を同一としている。このような構成においても、白色発光層１２にて発した白色光のうち、特定の原色光成分のみがカラーフィルタ１３を透過するので、選択反射層６には対応する波長の光のみが入射する点において、第１実施形態と同じである。従って、有機ＥＬ表示素子内に入射した外光のうち、選択反射層６によって反射されない波長成分は、カラーフィルタ１３によって吸収されてしまう点を除いて、本第５実施形態の作用は、上述した第１実施形態のものと同じである。
カ　「【図１】
【図２】
【図２２】
」
（２）引用発明
ア　引用文献１の【００６１】及び【００６２】に記載された「第５実施形態」の「表示装置」に関して、【００６２】には、「本第５実施形態は、上述した第１実施形態と比較して、発光層封止層８及び各発光層９の代わりに、白色光を発光するように材料（発光色素）が調整された一続きの白色発光層１２が形成されているとともに、各透明電極７に対応して（従って、白色発光層１２における、各透明電極７によって供給される電流によって発光する部分に対応して）、何れかの原色の波長成分のみを透過させるカラーフィルタ１３が、選択反射層６と透明電極７との間に形成されている点のみを相違し、それ以外の構成を同一としている。」と記載されている。また、引用文献１の【００１５】〜【００４３】に記載された「第１実施形態」の「表示装置」に関して、【００１５】〜【００１７】には、「図１は、本発明の第１実施形態に係る表示装置を構成する有機ＥＬ表示素子における何れか一つの画素をなす何れか一つの原色（赤，緑，青）を発光する部分の縦断面図である。」、「図１に示すように、透明基板としてのガラス基板１の一方の面（図１における下向きの面，以下、「射出側面」という）には、順番に、１／４波長板２及び偏光板３が、層をなすように形成されている。」及び「これに対して、ガラス基板１の他方の面（図１における上向きの面，以下、「発行側面」という）には、順番に、ＴＦＴ層４，配向層５，選択反射層６，透明電極７，発光層封止層８及び反射電極１０が、層をなすように形成されている。」と記載されている。
　以上の記載及び図２２を併せて考慮すると、「第５実施形態」の「表示装置」は、「透明基板としてのガラス基板１の一方の面には、順番に、１／４波長板２及び偏光板３が、層をなすように形成され、ガラス基板１の他方の面には、順番に、ＴＦＴ層４、配向層５、選択反射層６、カラーフィルタ１３、透明電極７、白色発光層１２、反射電極１０が、層をなすように形成されている」。
イ　「第１実施形態」の「選択反射層６」に関して、引用文献１の【００２１】には、「選択反射層６は、各画素を構成する各発光層９ごとに区分されており、各発光層９によって発光される原色光の波長を反射するように構成されている。」、「各選択反射層６は、波長選択反射機能を有するコレステリック液晶（コレステロールの水酸基をハロゲンで置換したハロゲン化合物や脂肪酸，炭酸とのエステル化合物等のコレステリック環を有する液晶）を封入した構造を有している。」及び「各選択反射層６は、対応する発光層９が発する原色光の波長（λ[nm]）を中心とした特定の波長の幅の光のみを反射するように、構成されているのである。」と記載されている。また、引用文献１の【００６２】には、前記アで述べた事項に加え、「白色発光層１２にて発した白色光のうち、特定の原色光成分のみがカラーフィルタ１３を透過するので、選択反射層６には対応する波長の光のみが入射する点において、第１実施形態と同じである。」と記載されている。
　以上の記載を併せて考慮すると、引用文献１に記載された「第５実施形態」においては、各「カラーフィルタ１３」（及び「白色発光層１２」）が、「第１実施形態」の各「発光層９」の機能を担っていると理解されるから、「第５実施形態」の「選択反射層６」は、「各画素を構成する
カラーフィルタ１３
カラーフィルタ１３
カラーフィルタ１３
ウ　そうしてみると、引用文献１には、「第５実施形態」として、次の「ボトムエミッション方式の有機ＥＬ表示素子を用いた表示装置」（【０００１】）の発明（以下「引用発明」という。）が記載されている。
「　ボトムエミッション方式の有機ＥＬ表示素子を用いた表示装置であって、
　表示装置を構成する有機ＥＬ表示素子における何れか一つの画素をなす何れか一つの原色（赤、緑、青）を発光する部分は、透明基板としてのガラス基板１の一方の面に、順番に、１／４波長板２及び偏光板３が、層をなすように形成され、また、ガラス基板１の他方の面に、順番に、ＴＦＴ層４、配向層５、選択反射層６、カラーフィルタ１３、透明電極７、白色発光層１２、反射電極１０が、層をなすように形成され、
　反射電極１０は、有機ＥＬ表示素子全体を覆うように形成された共通電極であり、入射した可視光領域全般に亙る光を全反射するに足りる屈折率及び膜厚を有する金属膜であり、
　白色光を発光するように材料が調整された一続きの白色発光層１２が形成されているとともに、各透明電極７に対応して、何れかの原色の波長成分のみを透過させるカラーフィルタ１３が、選択反射層６と透明電極７との間に形成され、白色発光層１２にて発した白色光のうち、特定の原色光成分のみがカラーフィルタ１３を透過するので、選択反射層６には対応する波長の光のみが入射し、
　選択反射層６は、各画素を構成するカラーフィルタ１３ごとに区分されており、各カラーフィルタ１３によって発光される原色光の波長を反射するように、波長選択反射機能を有するコレステリック液晶（コレステロールの水酸基をハロゲンで置換したハロゲン化合物や脂肪酸、炭酸とのエステル化合物等のコレステリック環を有する液晶）を封入した構造を有し、各選択反射層６は、対応するカラーフィルタ１３が発する原色光の波長（λ［ｎｍ］）を中心とした特定の波長の幅の光のみを反射するように構成されている、
　ボトムエミッション方式の有機ＥＬ表示素子を用いた表示装置。」
（３）引用文献４の記載
　引用文献４（特開２０１５−１６３５９６号公報）は、本件出願の出願前に日本国内又は外国において電気通信回線を通じて公衆に利用可能となった発明が記載されたものであるところ、そこには、以下の記載がある。
ア　「【背景技術】
【０００２】
　液晶性を有する重合性化合物を用いて、位相差膜や反射膜などの様々な光学フィルムの作製が可能である。重合性化合物の複屈折性は得られる光学フィルムの光学的性質に大きく関わる性質の１つである。例えば、高い複屈折性を示す液晶を用いることにより薄い膜厚で所望の位相差を有する位相差膜を得ることができる（特許文献１）。
　一方、複屈折性の低い重合性化合物を用いて形成したコレステリック液晶相を固定したフィルムとすることにより、反射波長域の選択性の高い反射膜を得ることができる。特許文献２には、特定の構造の非液晶性（メタ）アクリレート化合物を重合性液晶化合物とともに用いることにより低複屈折性位相差膜、または反射波長域の選択性の高い反射膜が得られたことが記載されている。」
イ　「【発明の概要】
【発明が解決しようとする課題】
【０００４】
　本発明は、低複屈折性液晶として利用可能な新規な重合性化合物を提供することを課題とする。本発明はまた、低複屈折性位相差膜、または反射波長域の選択性の高い反射膜等のフィルムを提供することを課題とする。
【課題を解決するための手段】
【０００５】
　本発明者らは、上記課題の解決のために様々な構造の化合物を検討していたところ、特許文献３または４により公知の重合性化合物に類似の構造を有する新規な化合物が、低複屈折性を示し、また、フィルムの形成に有利な性質を有することを見出し、この知見に基づきさらに検討を重ね、本発明を完成させた。
　すなわち、本発明は以下の＜１＞〜＜２３＞を提供するものである。
＜１＞式（Ｉ）で表される重合性化合物：
【０００６】
【化１】
」
ウ　「【発明の効果】
【００１７】
　本発明により、低複屈折性液晶として利用可能な新規な重合性化合物が提供される。本発明はまた、低複屈折性位相差膜、または反射波長域の選択性の高い反射膜等の新規なフィルムを提供する。」
エ　「【００４７】
　
式（Ｉ）で示される重合性化合物は、液晶性を示すと同時に複屈折性が低いため、式（Ｉ）で示される重合性化合物を利用して位相差フィルムを作製することによって、位相差フィルムの複屈折性を所望の範囲に調整することができる。特に式（Ｉ）で示される重合性化合物を用いてコレステリック液晶相を形成し、これを固定したフィルムとすることにより、選択反射の波長帯域の狭い反射膜、すなわち、反射波長域の選択性の高い反射膜を得ることができる。
オ　「【００７４】
[フィルムの用途]
　フィルムの一態様は、重合性組成物の、液晶相の配向（例えば、水平配向、垂直配向、ハイブリッド配向等）を固定したフィルムであって、光学異方性を示すフィルムである。当該フィルムは、液晶表示装置等の光学補償フィルム等として利用される。
　光学フィルムの一態様は、重合性組成物のコレステリック液晶相を固定したフィルムであって、所定の波長域の光に対して選択反射特性を示すフィルムである。コレステリック液晶相では、液晶分子は螺旋状に配列している。
コレステリック液晶相を固定した層（以下「コレステリック液晶層」ということがある。）は選択反射波長域において、右円偏光または左円偏光のいずれか一方を選択的に反射させ、他方のセンスの円偏光を透過させる円偏光選択反射層として機能する。
（４）対比
　本件補正後発明と引用発明を対比する。
ア　反射電極
　引用発明の「反射電極１０」は、「有機ＥＬ表示素子全体を覆うように形成された共通電極であり、入射した可視光領域全般に亙る光を全反射するに足りる屈折率及び膜厚を有する金属膜であ」る。
　上記記載から理解される「反射電極１０」の機能からみて、引用発明の「反射電極１０」は、本件補正後発明の「反射電極」に相当する。
イ　有機ＥＬ発光層
　引用発明は、「ボトムエミッション方式の有機ＥＬ表示素子を用いた表示装置」である。また、引用発明の「表示装置を構成する有機ＥＬ表示素子における何れか一つの画素をなす何れか一つの原色（赤、緑、青）を発光する部分」は、「ガラス基板１の他方の面に、順番に、ＴＦＴ層４、配向層５、選択反射層６、カラーフィルタ１３、透明電極７、白色発光層１２、反射電極１０が、層をなすように形成され」たものである。
　そうしてみると、引用発明の「表示装置」が「有機ＥＬ表示素子を用いた」ものであること、及び上記の層構成からみて、引用発明の「白色発光層１２」は、本件補正後発明の「有機ＥＬ発光層」に相当する。
ウ　カラーフィルター層
　引用発明の「表示装置」は、前記イで述べた層構成を具備する。また、引用発明の「表示装置を構成する有機ＥＬ表示素子における何れか一つの画素をなす何れか一つの原色（赤、緑、青）を発光する部分」は、「白色光を発光するように材料が調整された一続きの白色発光層１２が形成されているとともに、各透明電極７に対応して、何れかの原色の波長成分のみを透過させるカラーフィルタ１３が、選択反射層６と透明電極７との間に形成され、白色発光層１２にて発した白色光のうち、特定の原色光成分のみがカラーフィルタ１３を透過する」。
　上記構成からみて、引用発明の「表示装置」は、「赤」、「緑」及び「青」に対応する３種類の「カラーフィルタ１３」からなる層（以下「カラーフィルタ１３からなる層」という。）を具備するといえる。また、上記「カラーフィルタ１３からなる層」は、その機能からみて「カラーフィルター層」と称するにふさわしく、加えて、表示装置に関する技術常識を考慮すると、引用発明の「カラーフィルタ１３」がマトリックス状に配置されていることは明らかである。
　そうしてみると、引用発明の「カラーフィルタ１３」及び「カラーフィルタ１３からなる層」は、それぞれ本件補正後発明の「カラーフィルター」及び「カラーフィルター層」に相当する。また、引用発明の「カラーフィルタ１３からなる層」は、本件補正後発明の「カラーフィルター層」における、「赤色波長帯域と緑色波長帯域と青色波長帯域とに対応する少なくとも３種類のカラーフィルターがマトリックス状に配置されている」という要件を満たす。
（当合議体注：引用発明の「カラーフィルタ１３」の部分が「層」（重なりをなすものの一つ）であることは、図２２からも確認できる事項である。）
エ　駆動回路
　引用発明の「有機ＥＬ表示素子における何れか一つの画素をなす何れか一つの原色（赤、緑、青）を発光する部分」は、「ガラス基板１の他方の面に、順番に、ＴＦＴ層４、配向層５、選択反射層６、カラーフィルタ１３、透明電極７、白色発光層１２、反射電極１０が、層をなすように形成され」ている。
　ここで、「有機ＥＬ表示素子」に関する技術常識を考慮すると、引用発明の「ＴＦＴ層４」が、各「画素」を駆動する「ＴＦＴ」（薄膜トランジスタ）を備えた、「有機ＥＬ表示素子」を発光させる駆動回路の層であることは、明らかである（当合議体注：引用文献１の【００２５】及び【００２７】の記載からも確認できる事項である。）。
　そうしてみると、引用発明の「ＴＦＴ層４」は、本件補正後発明の「駆動回路」に相当する。また、引用発明の「ＴＦＴ層４」は、本件補正後発明の「駆動回路」における、「それぞれの画素を駆動する薄膜トランジスタを備える」という要件を満たすものである。
オ　１／４波長位相差層及び直線偏光板
　引用発明の「表示装置」は、「透明基板としてのガラス基板１の一方の面に、順番に、１／４波長板２及び偏光板３が、層をなすように形成され」ている。
　ここで、「有機ＥＬ表示素子を用いた表示装置」に関する技術常識を考慮すると、上記「１／４波長板２及び偏光板３」が、円偏光板として機能することは、明らかである（引用文献１の【００１６】及び【００３２】の記載からも確認できる事項である。）。
　そうしてみると、引用発明の「１／４波長板」及び「偏光板」は、それぞれ、本件補正後発明の「１／４波長位相差層」及び「直線偏光板」に相当する。
カ　各部材の配置順
　引用発明の「表示装置を構成する有機ＥＬ表示素子における何れか一つの画素をなす何れか一つの原色（赤、緑、青）を発光する部分」は、「透明基板としてのガラス基板１の一方の面に、順番に、１／４波長板２及び偏光板３が、層をなすように形成され、また、ガラス基板１の他方の面に、順番に、ＴＦＴ層４、配向層５、選択反射層６、カラーフィルタ１３、透明電極７、白色発光層１２、反射電極１０が、層をなすように形成され」ている。
　上記層構成からみて、引用発明の「表示装置」は、本件補正後発明の「反射電極と」、「有機ＥＬ発光層と」、「カラーフィルター層と」、「駆動回路と」、「１／４波長位相差層と」、「直線偏光板と、をこの順に備える」とされる、「画像表示装置」に相当する。
キ　反射層
　引用発明の「表示装置」は、前記カで述べた構成を具備する。また、引用発明の「選択反射層６」は、「各画素を構成するカラーフィルタ１３ごとに区分されており、各カラーフィルタ１３によって発光される原色光の波長を反射するように、波長選択反射機能を有するコレステリック液晶（コレステロールの水酸基をハロゲンで置換したハロゲン化合物や脂肪酸、炭酸とのエステル化合物等のコレステリック環を有する液晶）を封入した構造を有し、各選択反射層６は、対応するカラーフィルタ１３が発する原色光の波長（λ［ｎｍ］）を中心とした特定の波長の幅の光のみを反射するように構成されている」。
　上記構成から理解される位置関係及び機能からみて、引用発明の「選択反射層６」は、本件補正後発明の「前記赤色波長帯域と緑色波長帯域と青色波長帯域とに相当する波長をそれぞれ選択反射する、コレステリック液晶を含む３種類の」とされる「反射層」に相当する。また、引用発明の「選択反射層６」は、本件補正後発明の「反射層」における、「前記駆動回路と前記有機ＥＬ発光層との間に配置され」という要件を満たす。また、前記ウの対比結果も考慮すると、引用発明の「表示装置」は、本件補正後発明の「画像表示装置」における、「前記コレステリック液晶を含む３種類の反射層が、マトリックス状に配置された前記３種類のカラーフィルターに対応する波長帯域を選択的に反射するように、該カラーフィルターの対応する箇所にそれぞれ１つずつ配置されている」という要件を満たす。
（５）一致点及び相違点
ア　一致点
　本件補正後発明と引用発明は、次の構成で一致する。
「　反射電極と、
　有機ＥＬ発光層と、
　赤色波長帯域と緑色波長帯域と青色波長帯域とに対応する少なくとも３種類のカラーフィルターががマトリックス状に配置されているカラーフィルター層と、
　それぞれの画素を駆動する薄膜トランジスタを備える駆動回路と、
　１／４波長位相差層と、
　直線偏光板と、をこの順に備える画像表示装置であって、
　前記赤色波長帯域と緑色波長帯域と青色波長帯域とに相当する波長をそれぞれ選択反射する、コレステリック液晶を含む３種類の反射層が、前記駆動回路と前記有機ＥＬ発光層との間に配置され、
　前記コレステリック液晶を含む３種類の反射層が、前記３種類のカラーフィルターに対応する波長帯域を選択的に反射するように、該カラーフィルターの対応する箇所にそれぞれ１つずつ配置されている
　画像表示装置。」
イ　相違点
　本件補正後発明と引用発明は、次の点で相違する。
（相違点）
　「コレステリック液晶」が、本件補正後発明は、「逆分散波長特性を示す液晶材料、又はシクロヘキサン構造を有する液晶材料であ」るのに対して、引用発明は「コレステロールの水酸基をハロゲンで置換したハロゲン化合物や脂肪酸，炭酸とのエステル化合物等のコレステリック環を有する液晶」である点。
（６）相違点についての判断
　引用文献４に記載される「式（Ｉ）」は、「【化１】」の構造から明らかなように、シクロヘキサン構造を有する重合性化合物である。また、引用文献４の【００４７】には、式（Ｉ）で示される重合性化合物は、液晶性を示すと同時に複屈折性が低いため、コレステリック液晶相を形成し、これを固定したフィルムとすることにより、選択反射の波長帯域の狭い反射膜を得ることができる旨開示されている。さらに、引用文献４の【００７４】にも記載されるように、この反射膜は、液晶分子が螺旋状に配列しているコレステリック液晶相を固定した層（コレステリック液晶層）であるので、選択反射波長域において、右円偏光または左円偏光のいずれか一方を選択的に反射させ、他方の円偏光を透過させる円偏光選択反射層として機能するものである。
　また、有機ＥＬ表示装置において、表示の明るさを向上させるために設けられるコレステリック液晶層について、反射する波長帯域を狭くすることにより、色純度を高めることができることは周知の事項である（原査定の拒絶の理由において引用された引用文献２（特開２００５−６３８４１号公報）【０２９７】、【０２９８】及び原査定の拒絶の理由において引用された引用文献３（特開２００４−２９６１６２号公報）【００４０】等を参照。）。
　そうしてみると、引用文献４の開示事項を心得た当業者にとって、引用発明における選択反射層として、表示装置の色純度を高めるために、選択波長の狭い反射膜を得られる引用文献４に開示の重合性化合物を用いたコレステリック液晶層によるものとすることは、通常の創作能力の範囲内のことである。
　なお、引用発明の「コレステリック液晶」は、「（コレステロールの水酸基をハロゲンで置換したハロゲン化合物や脂肪酸，炭酸とのエステル化合物等のコレステリック環を有する液晶）」とされているが、引用発明の「選択反射層」として引用文献４の材料からなるコレステリック液晶を用いても、このような「選択反射層」は、「波長選択反射機能を有する」ものであり、引用文献１【００１１】に記載の発明の効果を妨げるものとはならない。
（７）効果について
　本件補正後発明の効果について、本件出願の明細書の【００１６】には、「本発明によれば、コレステリック液晶の反射層配置による輝度向上と、外光反射の抑制とを両立させる画像表示装置を提供することができ」と記載され、【００４６】には「画像表示装置１では、各画素からの出射光の損失を充分に低減し、輝度低下を防止する」と記載されている。
　しかしながら、このような効果は、引用発明及び引用文献４に記載された事項から当業者が予測できる範囲内のものにすぎない。
（８）請求人の主張について
　令和３年１月２６日付け審判請求書において、請求人は、「文献１には、反射層に含まれるコレステリック液晶が逆分散波長特性を示す液晶材料、又はシクロヘキサン構造を有する液晶材料であることは記載も示唆もされておりません。また、逆分散波長特性を示す液晶材料、又はシクロヘキサン構造を有する液晶材料自体が公然に知られた材料であると認められると仮定しても、文献１にこれらの材料が示唆されていない以上、画像表示装置を構成する駆動回路と有機ＥＬ発光層との間に配置される反射層に含まれる材料として逆分散波長特性を示す液晶材料、又はシクロヘキサン構造を有する液晶材料を選択することを動機づけることはできるものではありません。」と主張する。
　しかしながら、この点は上記（６）で既に述べたとおりであるから請求人の主張は、採用できない。
（９）小括
　本件補正後発明は、引用文献１に記載された発明及び引用文献４に記載された事項に基づいて、当業者が容易に発明をすることができたものであるから、特許法２９条２項の規定により、特許出願の際独立して特許を受けることができない。
３　補正の却下の決定のむすび
　本件補正は、特許法１７条の２第６項において準用する同法１２６条７項の規定に違反するので、同法１５９条１項の規定において読み替えて準用する同法５３条１項の規定により却下すべきものである。
　よって、前記［補正の却下の決定の結論］のとおり決定する。
第３　本願発明について
１　本願発明
　以上のとおり、本件補正は却下されたので、本件出願の請求項１に係る発明（以下「本願発明」という。）は、前記「第２」［理由］１（１）に記載された事項によって特定されるとおりのものである。
２　原査定の拒絶の理由
　原査定の拒絶の理由は、本願発明は、その出願前に日本国内又は外国において頒布された刊行物である引用文献１（特開２０１４−３８７１３号公報）に記載された発明であるから、特許法２９条１項３号に該当し、特許を受けることができない、また、本願発明は、その出願前に日本国内又は外国において頒布された刊行物である引用文献１に記載された発明に基づいて、当業者が容易に発明をすることができたものであるから、特許法２９条２項の規定により特許を受けることができない、という理由を含むものである。
３　引用文献の記載及び引用発明
　引用文献１の記載及び引用発明は、前記「第２」［理由］２（１）及び（２）に記載したとおりである。
４　対比及び判断
　本願発明は、前記「第２」［理由］２で検討した本件補正後発明から、「前記コレステリック液晶は、逆分散波長特性を示す液晶材料、又はシクロヘキサン構造を有する液晶材料であり」という限定を省いたものに相当する。そして、本願発明の構成を全て具備し、さらに上記限定を有する、本件補正後発明は、前記「第２」［理由］２で述べたとおり、引用文献１に記載された発明及び引用文献４に記載された事項に基づいて当業者が容易に発明をすることができたものである。また、上記限定は、前記「第２」［理由］２（５）イに記載した相違点に関するものであるから、上記限定を省いたものである本願発明と引用発明との間に相違点はない。
　そうしてみると、本願発明は、引用文献１に記載された発明である。仮に何らかの相違点が見いだされたとしても、本願発明は、引用文献１に記載された発明に基づいて当業者が容易に発明をすることができたものである。
第４　むすび
　以上のとおり、本願発明は、特許法２９条１項３号に該当し、特許を受けることができないか、又は、特許法２９条２項の規定により特許を受けることができない。したがって、他の請求項に係る発明について検討するまでもなく、本件出願は拒絶されるべきものである。
　よって、結論のとおり審決する。